(57)【要約】【課題】  スリッパまたはサンダルでありながら、靴の製造技術を適用して、足と中底との密着性を完全に実現しながら足指の可動性も確保することができ、オーダーシューズと同等のコンフォート性を実現した履きやすさ、ホールド性及びサイズ適合性に優れたスリッパ及びサンダルの提供。【解決手段】  甲被部材パーツを甲の中心で縫い合わせた甲被および中底を装着する空間を形成する立ち上がり部からなるアッパー、インソールを使用した中底、広い開口部およびトウスプリングになっている底部で構成され、靴の製造技術を応用してアッパーに底部を付け、その後でインソールの中底を装着して完成させたことを特徴とする、スリッパまたはサンダル。【選択図】    図１
2014200508.tif 000002
【特許請求の範囲】
【請求項１】
甲被部材パーツを甲の中心で縫い合わせた甲被および中底を装着する空間を形成する立ち上がり部からなるアッパー、インソールを使用した中底、広い開口部およびトウスプリングになっている底部で構成され、靴の製造技術を応用してアッパーに底部を付け、その後でインソールの中底を装着して完成させたことを特徴とする、スリッパまたはサンダル。
【請求項２】
前記甲皮は、甲被部材パーツの縫い目のカーブが足甲上面に沿うカーブを有している請求項１に記載のスリッパまたはサンダル。
【請求項３】
前記甲皮は、甲被部材パーツを縫い合わせ甲被部材を踵近傍の開口部縁まで延ばし広い開口部を構成している請求項１または２に記載のスリッパまたはサンダル。
【請求項４】
前記アッパーは、甲被と、その踵近傍の開口部縁で立ち上がり部と結合して作られている請求項１、２または３に記載のスリッパまたはサンダル。
【請求項５】
前記トウスプリングは、立っているときに重心が後に行き過ぎない高さになっている請求項１ないし４のいずれかに記載のスリッパまたはサンダル。
【請求項６】
前記インソールが、衝撃吸収に優れたＥＶＡ素材を中芯に入れることにより、カカト部、中足骨部、前足部への床からの負担を軽減したものとなっている、請求項１ないし５のいずれかに記載のスリッパまたはサンダル。
【請求項７】
前記インソールが、体圧を分散する足裏の形に沿った、かつ、踵の丸みに沿って保持する凹凸状に形成されている請求項１ないし５のいずれかに記載のスリッパまたはサンダル。
【請求項８】
前記インソールが、別売りのインソールと交換可能な着脱可能なインソールである請求項５または６に記載のスリッパまたはサンダル。
【請求項９】
前記底部が、かかと部の高さを高くするヒール専用のかかと芯を付属させている請求項１ないし８のいずれかに記載のスリッパまたはサンダル。
【請求項１０】
前記アッパーおよび底部の表面部材は、拭き取り可能な素材を使用している、請求項１ないし９のいずれかのスリッパまたはサンダル。
【発明の詳細な説明】
【技術分野】
【０００１】
本発明は、靴の製造技術を応用したスリッパまたはサンダル、いわゆるコンフォートスリッパまたはサンダルに関する。
なお、本発明において靴の製造とは、甲部（アッパー）と底部（本底）を結合する底付け、および木型（ラスト）を使用する方法を言う。
【背景技術】
【０００２】
従来のスリッパは、足を乗せて足裏に直接当接する中敷部材と、足先及び甲部を包み込む形状に形成された甲被部材と、前記スリッパ の下側に位置して、床面と直接当接する底部材と、これら中敷部材、甲被部材及び底部材を位置決めして結合させる支持部材等によって構成されている。このような従来のスリッパは、その構造上、激しい動きをした際には脱げてしまうものである。そこで、甲の後部を踵まで延ばし、のばした部分の上部から踵を包むように伸縮性や形状復帰性のある、ジャージやゴム生地その他の生地で作った踵を有するスリッパが提言されている（特許文献１）。上記特許文献１に記載のスリッパは、甲被部材と中敷部材により構成される開口部が狭く、履きやすさに優れていなかった。
一方、開口部を広くすると、サイズの適合範囲が狭くなるという問題がある。すなわち、大きなサイズのスリッパを履いた場合に、開口部が広いため、踵部の固定だけではホールド性が充分でなく、脱げやすくなってしまうという問題があった。
また、このような従来のスリッパ及びサンダルのインソールは、スリッパ及びサンダル本体のアウトソールと一体化もしくは、固定されている。一方で、靴の製造技術によれば、インソールを取り外し、他のインソールと交換することができる。 
【先行技術文献】
【特許文献】
【０００３】
【特許文献１】特開２０００−７０００６号公報
【発明の開示】
【発明が解決しようとする課題】
【０００４】
上記課題を解決するために、本発明は、スリッパまたはサンダルでありながら、靴の製造技術を適用して、足と中底との密着性を完全に実現しながら足指の可動性も確保することができ、オーダーシューズと同等のコンフォート性を実現した履きやすさ、ホールド性及びサイズ適合性に優れたスリッパ及びサンダルを提供することを課題とする。  
【課題を解決するための手段】
【０００５】
本発明は、スリッパまたはサンダルでありながら、靴の製造技術を適用した型崩れしにくく、しっかりした作りのものであり、広い開口部を有していて脱いだり履いたりしやすいが、足甲の高いホールド性、足と中底との密着性をもち脱げにくくつまずきにくく歩きやすい設計となっている。
【０００６】
すなわち、第１の発明は、甲被部材パーツを甲の中心で縫い合わせた甲被および中底を装着する空間を形成する立ち上がり部からなるアッパー、インソールを使用した中底、広い開口部およびトウスプリングになっている底部で構成され、靴の製造技術を応用してアッパーに底部を付け、その後でインソールの中底を装着して完成させたことを特徴とする、スリッパまたはサンダルである。
【０００７】
第２の発明は、第１の発明において、前記甲皮は、甲被部材パーツの縫い目のカーブが足甲上面に沿うカーブを有していることを特徴とする。
【０００８】
第３の発明は、第１または第２の発明において、前記甲皮は、甲被部材パーツを縫い合わせ甲被部材を踵近傍の開口部縁まで延ばし広い開口部を構成していることを特徴とする。
【０００９】
第４の発明は、第１、第２または第３の発明において、
前記アッパーは、甲被と、その踵近傍の開口部縁で立ち上がり部と結合して作られていることを特徴とする。
【００１０】
第５の発明は、第１ないし第４のいずれかの発明において、前記トウスプリングは、立っているときに重心が後に行き過ぎない高さになっていることを特徴とする。
【００１１】
第６の発明は、第１ないし第５のいずれかの発明において、前記インソールが、衝撃吸収に優れたＥＶＡ素材を中芯に入れることにより、カカト部、中足骨部、前足部への床からの負担を軽減したものとなっていることを特徴とする。  
【００１２】
第７の発明は、第１ないし第５のいずれかの発明において、前記インソールが、体圧を分散する足裏の形に沿った、かつ、踵の丸みに沿って保持する凹凸状に形成されていることを特徴とする。  
【００１３】
第８の発明は、第５または第６の発明において、前記インソールが、別売りのインソールと交換可能な着脱可能なインソールであることを特徴とする。
【００１４】
第９の発明は、第１ないし第８のいずれかの発明において、前記底部が、かかと部の高さを高くするヒール専用のかかと芯を付属させていることを特徴とする。
【００１５】
第１０の発明は、第１ないし第８のいずれかの発明において、前記アッパーおよび底部の表面部材は、拭き取り可能な素材を使用していることを特徴とする。
【発明の効果】
【００１６】
本発明は、スリッパまたはサンダルでありながら、靴の製造技術を適用した型崩れしにくく、しっかりした作りのものを提供することができる。甲被部材パーツを甲の中心で縫い合わせた甲被部材パーツの縫い目のカーブが足甲上面に沿うカーブを有しているため、足甲に良くなじみ、高いホールド性を得ることができるデザインとなっている。靴の製造技術を応用してアッパーに底部を付け、その後中底にインソールを使用することができる。中底を装着できるスペースに装着固定して中底を装着固定する。このようにして中底にインソールを使用することにより、ルームシューズのようなフィット感のあるコンフォートスリッパまたはサンダルを提供することができる。また、中底の表面に用いた人工皮革が滑り止めの効果も発揮するため、脱げにくく、横ずれし難い仕様になっている。
足の裏面に接触する中底を足の裏面のほぼ全体に沿うように凹凸状に形成したインソール（カップインソール）を装着することができるため、足と中底との密着性を完全に実現することができる。足は“第二の心臓”と呼ばれているところ、人間工学に基づいた大切な足のアーチをサポートできるインソールを設計することができた。
インソールとして衝撃吸収に優れたＥＶＡ素材を中芯に入れることにより、カカト部、中足骨部、前足部への床からの負担を軽減することができる。さらに、底部は、かかと部の高さを高くするヒール専用の硬質ＥＶＡかかと芯を付属させることができる。
つま先部分はトウスプリングのためつまずきにくく歩きやすい設計になっている。  
【図面の簡単な説明】
【００１７】
【図１】本発明のスリッパ（またはサンダル）の外観概略図である。
【図２】本発明のスリッパ左足の側面図であり、足甲上面に沿うカーブを有している甲被部材パーツの縫い目のカーブの説明図である。
【図３】付属させた、硬質ＥＶＡかかと芯を含む、底部ＥＶＡの構成層の説明図である。
【図４】アッパーに底部を付けた後、付属させた硬質ＥＶＡかかと芯を踵に置いた態様に付いての、中底を装着固定する前の状態を説明する図面である。
【図５】衝撃吸収に優れたＥＶＡ素材を中芯に入れた、中底の構成層の説明図である。
【図６】アッパーに底部を付けた後、スリッパまたはサンダルを完成させるために、インソールの中底を装着する状態を説明する図面である。
【発明を実施するための最良の形態】
【００１８】
本発明のスリッパまたはサンダルは、靴の製造技術を応用したものである。図１の外観概略図から明らかなように、スリッパともサンダとも称することができる形である。本発明のスリッパまたはサンダルは、足を乗せて足裏に直接当接する中底１と、甲部を包み込む形状に形成された甲被２−１と、中底を装着する空間を形成する立ち上がり部２−２からなるアッパー２と、前記スリッパまたはサンダルの下側に位置して、床面と直接当接する底部３とからなる。
立ち上がり部２−２はつま先で中底を装着できるスペースをつくるためのつま先立ち上がり部２−２−１と、踵で中底を装着できるスペースをつくるためのかかと立ち上がり部２−２−２で構成されている。
前記甲被２−１は、甲被部材パーツ２−１−１、２−１−２を甲の中心で縫い合わせたものであり、踵近傍の開口部縁２−１−３まで延びて広い開口部４を構成している。アッパー２および底部３の表面部材（例、ＥＶＡ層３−１）は、拭き取り可能な素材を使用している。
【００１９】
甲皮２−１は底部およびインソールを除く上部のすべての甲の部分を構成しており、立ち上がり部２−２（つま先立ち上がり部２−２−１および踵立ち上がり部２−２−２）とともにアッパー（底部およびインソールを除く上部のすべて）〕を構成する。
甲皮２−１は、甲皮甲被部材パーツ２−１−１、２−１−２の縫い目２−１−５のカーブが足甲上面に沿うカーブを持たせており、足の甲をよく固定することができる。また、甲被部材パーツ２−１−１、２−１−２を甲の中心で縫い合わせ、踵近傍の開口部縁２−１−３まで延びて、脱いだり履いたりしやすい広い開口部４を形成している。
【００２０】
図５に示すように、インソール１−２を使用した中底１は、中敷１−１と複数のインソール部材を積層して構成される。例えば、ポリエステルメッシュ、傾斜硬質ＥＶＡ、カップインソール、スエード風人工皮革（中敷１−１）を下から上に順次重ねて構成される。中底１の足裏に直接当接する表層部分（中敷１−１）に使われるスエード風人工皮革は、滑り止めの効果も発揮するため、脱げにくく、横ずれしにくい仕様とすることができる。カップインソール１−２は、体圧を分散する足裏の形に沿った凹凸状が形成されており、必要に応じ踵の丸みに沿って保持する凹凸状も形成することにより、脱げにくく、横ずれしにくい仕様とすることができる。また、インソールは、衝撃吸収に優れたＥＶＡ（エチレン−酢酸ビニル共重合体樹脂）素材を中芯に入れることにより、カカト部、中足骨部、前足部への床からの負担を軽減することができる。
さらに底部３は、かかと部の高さを高くするヒール専用の硬質ＥＶＡかかと芯３−３を付属させる。硬質ＥＶＡかかと芯は両面テープで貼り付けて使用することができる。
インソール１−２を正しい位置にセットして使用すると、足がかがとにフィットするため、足が全体に後ろに来る。スリッパまたはサンダルの横幅の一番広い部分に母趾球・小趾球が来くるため、横幅が楽になり、つま先に今までよりも大きな空間ができる。このことにより、巻爪の痛み軽減や、予防効果が奏される。同様につま先の大きな空間のおかげで爪が開放される。
インソール１−２を使用すると楽になるのは、スリッパまたはサンダルの中の隙間を最大限に活かしフィット感を向上させることができる。
【００２１】
図３に示すように、底部３は、地面と接する表面部材は、拭き取り可能な素材、例えばＥＶＡを使用している。図２に示すように、トウスプリング５になっており、つまずきにくく歩きやすい設計となっている。トウスプリングの高さは、立っているときに重心が後に行き過ぎない高さになっている。つま先が地面から約１ｃｍ持ち上がっている。つま先が１ｃｍも持ち上がっているスリッパまたはサンダルはあまり見かけないが、靴の製造技術を適用した型崩れしにくく、しっかりした作りのものであり、可能となった。安全に心地よく歩くことを主眼に作られたコンフォートシューズ売り場で容易に見つけることができるトウスプリングがスリッパまたはサンダルで、可能となった。
高齢になると筋力が衰えるだけでなく、筋肉や腱が硬くなるため足首の柔軟性が低下し、つまずきやすい歩き方になってしまう。若い人の歩行パターンは、かかとから地面につき、最後につま先で地面を蹴るが、高齢者に多いのは、つま先から地面につき、すり足で歩くパターンである。前脛骨筋の力が弱くなり、また下腿三頭筋とアキレス腱の柔軟性が低下するため、足の甲を反り返らせることができなくなることや背中が曲がり、前傾姿勢になることと、フィット感の低いスリッパを足指でつかむことが出来なくなり、スリッパが脱げてしまうことが大きな理由である。トウスプリングが約１ｃｍあると、つま先が地面にひっかかりにくく、つまずいて転ぶのを極力防ぐことができる。
【００２２】
靴の製造技術を応用したスリッパまたはサンダルであり、甲被部材パーツの型を作り、裁断機を使って生地を裁断する。裁断された甲被部材パーツ生地を甲の中心で縫い合わせ、縫い目の両脇に縫い目に沿って表からステッチを掛ける。縁止めをした後、裏材を重ねてミシンで縫い合わせ甲皮を作る。甲皮の踵近傍の開口部縁２−１−３で踵立ち上がり部２−２−２と、つま先の開口部縁２−１−４でつま先立ち上がり部２−２−１と縫製により結合してアッパーを作る。できあがったアッパーに中底（インソール）と接着される底材を装着固定して、底付けをする。さらに、床面と直接当接する底材を貼り合わせ、接着した二層の底材を強固にするためにステッチをかける。最後に中底を装着する空間に中底を装着して、スリッパまたはサンダルを完成させる。
【００２３】
本発明の詳細を実施例により説明する。但し、本発明はこの実施例に制限されるものではない。
【実施例１】
【００２４】
コンフォートスリッパ（またはサンダル）を以下の素材で作った。
１）アッパー〔甲の部分および立ち上がり部（底部およびインソールを除く上部のすべて）〕
表（合成皮革）、および、裏〔ポリエステル１００％（メッシュ）〕
本実施例では上記の素材を用いているが、表は生地や革を用いることが出来るし、裏は綿、シルク、メッシュ、革を用いることが出来る。
２）中敷
人工皮革
３）ソール（底部）
ＥＶＡ、および、ふち巻テープ（ポリエステル１００％）
４）その他
中芯（カップインソール）、および、傾斜硬質ＥＶＡ、必要に応じ、かかと芯(ゴム入り衝撃吸収ＥＶＡ)
【００２５】
図１〜５に基づき説明する。本発明のスリッパ（またはサンダル）は、足を乗せて足裏に直接当接する中底１と甲被２−１と底部３と立ち上がり部２−２とからなる。立ち上がり部２−２はつま先立ち上がり部２−２−１および踵立ち上がり部２−２−２で構成され、インソールを挿入する空間を形成する。
中底１は中敷き１−１とインソール１−２、傾斜硬質ＥＶＡ１−３およびポリエステルメッシュ１−４で構成している。
アッパー２の甲被２−１は、甲被部材パーツ２−１−１、２−１−２を甲の中心で縫い合わせた、足甲上面に沿うカーブを有する縫い目２−１−５を有し、踵近傍の開口部縁２−１−３まで延びて広い開口部４を構成している。甲被の踵近傍の開口部縁２−１−３は踵立ち上がり部２−２−２と結合して中底を装着できるスペースを形成する。つま先にも開口部があり、甲被のつま先近傍の開口部縁２−１−４はつま先立ち上がり部２−２−１と結合して中底を装着できるスペースを形成する。
底部３は、床面と直接当接するＥＶＡ層３−１と、中底１と接着されるふち巻きテープでふち巻きされたＥＶＡ層３−２の二層のＥＶＡからなる底材で構成される。
アッパー２に底部３を付けて底付けをする。すなわち、アッパー２に中底（インソール）と接着される底材３−２を付けて底付けをする。さらに、床面と直接当接する底材３−１を貼り合わせ、接着した二層３−１，３−２の底材を強固にするためにステッチをかける。最後に中底を装着する空間に中底１を装着して、スリッパまたはサンダルを完成させる。
【００２６】
本発明のスリッパまたはサンダルは、足と中底との密着性を完全に実現しながら足指の可動性も確保することができている。
オーダーシューズと同等のコンフォート性を実現した履きやすさ、ホールド性及びサイズ適合性に優れたスリッパ及びサンダルである。  
甲被部材パーツの縫い目のカーブが足甲上面に沿うカーブを有しているため、足甲に良くなじみ、高いホールド性を得ることができるデザインとなっている。
中底にインソールを使用することができる。中底を装着できるスペースに装着固定して中底を装着固定する。このようにして中底にインソールを使用し、かつ、立ち上がり部で形成された空間に装着固定することにより、ルームシューズのようなフィット感のあるコンフォートスリッパまたはサンダルとなる。
中底の表面に用いた人工皮革が滑り止めの効果も発揮するため、脱げにくく、横ずれし難い仕様になっている。
足の裏面に接触する中底を足の裏面のほぼ全体に沿うように凹凸状に形成した（例、フットピロー付き）インソール（カップインソール）を装着することができるため、足と中底との密着性を完全に実現することができる。
インソールとして衝撃吸収に優れたＥＶＡ素材を中芯に入れることにより、カカト部、中足骨部、前足部への床からの負担を軽減することができる。
底部は、硬質ＥＶＡかかと芯を付属させることにより、かかと部の高さを高くすることができる。
つま先部分はトウスプリングのためつまずきにくく歩きやすい設計になっている。
【符号の説明】
【００２７】
１  中底
１−１  中敷き
１−２  インソール
１−３  傾斜硬質ＥＶＡ
１−４  ポリエステルメッシュ
２  アッパー
２−１  甲被
２−１−１  甲被部材パーツ
２−１−２  甲被部材パーツ
２−１−３  踵近傍の開口部縁
２−１−４  つま先近傍の開口部
２−１−５  縫い目
２−２  立ち上がり部
２−２−１  つま先立ち上がり部
２−２−２  踵立ち上がり部
３  底部
３−１  ＥＶＡ層
３−２  底材（ふち巻きテープでふち巻きされたＥＶＡ層）
３−３  かかと芯（硬質ＥＶＡかかと芯）
４  脱いだり履いたりしやすい広い開口部
５  トウスプリング
【図１】
2014200508.tif 000003
【図２】
2014200508.tif 000004
【図３】
2014200508.tif 000005
【図４】
2014200508.tif 000006
【図５】
2014200508.tif 000007
【図６】
2014200508.tif 000008